(57)【要約】【課題】異なる無線基地局ｅＮＢ配下のセル間におけるハンドオーバ手順において、ＭＡＣレイヤにおける事情を考慮して、「ＲＲＣ  ｄｉｖｅｒｓｉｔｙ」を実現する。【解決手段】本発明に係るハンドオーバ方法は、無線基地局ｅＮＢ＃１が、無線基地局ｅＮＢ＃１０に対して、ＨＡＲＱプロセスを通知する工程Ａと、無線基地局ｅＮＢ＃１が、無線基地局ｅＮＢ＃１０に対して通知したＨＡＲＱプロセスと異なるＨＡＲＱプロセスを用いて、移動局ＵＥに対して、「ＨＯ  ｃｏｍｍａｎｄ」を送信する工程Ｂと、無線基地局ｅＮＢ＃１０が、無線基地局ｅＮＢ＃１０によって通知されたＨＡＲＱプロセスを用いて、移動局ＵＥに対して、「ＨＯ  ｃｏｍｍａｎｄ」を送信する工程Ｃとを有する。【選択図】図３
2014220687.tif 000002
【特許請求の範囲】
【請求項１】
第１無線基地局配下の第１セルに接続している移動局が第２無線基地局配下の第２セルにハンドオーバするハンドオーバ方法であって、
前記第１無線基地局が、前記第２無線基地局に対して、ＨＡＲＱプロセスを通知する工程Ａと、
前記第１無線基地局が、前記第２無線基地局に対して通知した前記ＨＡＲＱプロセスと異なるＨＡＲＱプロセスを用いて、前記移動局に対して、ハンドオーバ指示信号を送信する工程Ｂと、
前記第２無線基地局が、前記第１無線基地局によって通知された前記ＨＡＲＱプロセスを用いて、前記移動局に対して、前記ハンドオーバ指示信号を送信する工程Ｃとを有することを特徴とするハンドオーバ方法。
【請求項２】
前記工程Ａにおいて、前記第１無線基地局は、ハンドオーバ要求信号を用いて、前記ＨＡＲＱプロセスを通知することを特徴とする請求項１に記載のハンドオーバ方法。
【請求項３】
第１無線基地局配下の第１セルに接続している移動局が第２無線基地局配下の第２セルにハンドオーバする際に該第１無線基地局として動作することができる無線基地局であって、
前記第２無線基地局に対して、ＨＡＲＱプロセスを通知するように構成されている送信部を具備しており、
前記送信部は、前記第２無線基地局に対して通知した前記ＨＡＲＱプロセスと異なるＨＡＲＱプロセスを用いて、前記移動局に対して、ハンドオーバ指示信号を送信するように構成されていることを特徴とする無線基地局。
【請求項４】
前記送信部は、ハンドオーバ要求信号を用いて、前記ＨＡＲＱプロセスを通知するように構成されていることを特徴とする請求項３に記載の無線基地局。
【請求項５】
第１無線基地局配下の第１セルに接続している移動局が第２無線基地局配下の第２セルにハンドオーバするハンドオーバ方法であって、
前記第１無線基地局が、前記移動局との間で使用可能な所定数のＨＡＲＱプロセスのうちのいずれかを用いて、前記移動局に対して、ハンドオーバ指示信号を送信する工程と、
前記第２無線基地局が、前記所定数のＨＡＲＱプロセスとは異なる特別のＨＡＲＱプロセスを用いて、前記移動局に対して、ハンドオーバ指示信号を送信する工程とを有することを特徴とするハンドオーバ方法。
【請求項６】
第１無線基地局配下の第１セルに接続している移動局が第２無線基地局配下の第２セルにハンドオーバする際に該第２無線基地局として動作することができる無線基地局であって、
前記第１無線基地局と前記移動局との間で使用可能な所定数のＨＡＲＱプロセスとは異なる特別のＨＡＲＱプロセスを用いて、前記移動局に対して、ハンドオーバ指示信号を送信するように構成されている送信部を具備することを特徴とする無線基地局。
【請求項７】
移動局であって、
第１無線基地局配下の第１セルから第２無線基地局配下の第２セルにハンドオーバする際に、該第１無線基地局から、該第１無線基地局との間で使用可能な所定数のＨＡＲＱプロセスのうちのいずれかを用いて、ハンドオーバ指示信号を受信し、該第２無線基地局から、該所定数のＨＡＲＱプロセスとは異なる特別のＨＡＲＱプロセスを用いて、該ハンドオーバ指示信号を受信するように構成されており、
前記特別のＨＡＲＱプロセスに対応するバッファは、ＭＡＣレイヤが初期化される場合、該第１無線基地局ｅＮＢに対して測定報告を送信した場合、該第１無線基地局から該測定報告に対するＭＡＣ-ＡＣＫ/ＲＬＣ-ＡＣＫを受信した場合、或いは、上位レイヤから「ＲＲＣ  ｄｉｖｅｒｓｉｔｙ」機能がアクティブ化された場合に初期化されるように構成されていることを特徴とする移動局。
【発明の詳細な説明】
【技術分野】
【０００１】
本発明は、ハンドオーバ方法、無線基地局及び移動局に関する。
【背景技術】
【０００２】
ＬＴＥ（Ｌｏｎｇ  Ｔｅｒｍ  Ｅｖｏｌｕｔｉｏｎ）方式において、「ＲＲＣ_Ｃｏｎｎｅｃｔｅｄ状態」の移動局ＵＥがセル境界を跨いで移動する際には、移動局ＵＥに常に適切なセルで通信を行わせるために、ハンドオーバ手順が行われるように構成されている。
【０００３】
しかしながら、同一周波数のセル間においてハンドオーバ手順が行われる場合には、移動局ＵＥは、周辺セルからの干渉によって、ハンドオーバ元セルにおいて「ＨＯ  ｃｏｍｍａｎｄ」を受信することができずに、かかるハンドオーバ手順が失敗してしまうことが懸念されている（図５（ａ）参照）。
【０００４】
そこで、図５（ｂ）に示すように、ハンドオーバ元セルだけではなくハンドオーバ先セルからも「ＨＯ  ｃｏｍｍａｎｄ」を送信することで、移動局ＵＥが「ＨＯ  ｃｏｍｍａｎｄ」を受信する確率を高めてハンドオーバ手順の失敗を抑制する制御（ＲＲＣ  ｄｉｖｅｒｓｉｔｙ）が提案されている（非特許文献１参照）。
【０００５】
ここで、「ＲＲＣ  ｄｉｖｅｒｓｉｔｙ」は、下りリンクにおけるＣｏＭＰ送受信（Ｃｏｏｒｄｉｎａｔｅｄ  Ｍｕｌｔｉ-Ｐｏｉｎｔ  ｔｒａｎｓｍｉｓｓｉｏｎ/ｒｅｃｅｐｔｉｏｎ、マルチポイント協調送受信）によって実現することができる。
【０００６】
なお、下りリンクにおけるＣｏＭＰ送受信は、複数のＴＰ（Ｔｒａｎｓｍｉｓｓｉｏｎ  Ｐｏｉｎｔ）から移動局ＵＥに対して、同一或いは異なるデータを送信することで、下りリンクにおけるスループットを向上させる技術である。
【先行技術文献】
【非特許文献】
【０００７】
【非特許文献１】３ＧＰＰ寄書Ｒ２-１３１２１１
【発明の概要】
【発明が解決しようとする課題】
【０００８】
現状、下りリンクにおけるＣｏＭＰ送受信は、同一の無線基地局ｅＮＢ配下のセルでのみ実現可能である。
【０００９】
したがって、図６に示すように、異なる無線基地局ｅＮＢ配下のセル間におけるハンドオーバ手順では、「ＲＲＣ  ｄｉｖｅｒｓｉｔｙ」を実現することができないという問題点があった。
【００１０】
さらに、図７に示すように、ハンドオーバ元無線基地局Ｓ-ｅＮＢ及びハンドオーバ先無線基地局Ｔ-ｅＮＢが、ＴＴＩ（Ｔｒａｎｓｍｉｓｓｉｏｎ  Ｔｉｍｅ  Ｉｎｔｅｒｖａｌ）レベルで同期していない場合には、かかるハンドオーバ手順において、ハンドオーバ元無線基地局Ｓ-ｅＮＢ及びハンドオーバ先無線基地局Ｔ-ｅＮＢが、同一のＨＡＲＱプロセス（例えば、ＨＡＲＱプロセス＃３）を用いて「ＨＯ  ｃｏｍｍａｎｄ」を送信すると、移動局ＵＥは、ＭＡＣ（Ｍｅｄｉａ  Ａｃｃｅｓｓ  Ｃｏｎｔｒｏｌ）レイヤにおいて、ハンドオーバ元無線基地局Ｓ-ｅＮＢ及びハンドオーバ先無線基地局Ｔ-ｅＮＢから送信された「ＨＯ  ｃｏｍｍａｎｄ」をソフトバッファ（ｓｏｆｔ  ｂｕｆｆｅｒ）で正常に合成することができない。
【００１１】
しかしながら、従来のＬＴＥ方式では、「ＲＲＣ  ｄｉｖｅｒｓｉｔｙ」を実現するに際して、かかるＭＡＣレイヤにおける事情を考慮していないため、異なる無線基地局ｅＮＢ配下のセル間におけるハンドオーバ手順において「ＲＲＣ  ｄｉｖｅｒｓｉｔｙ」を実現することができないという問題点があった。
【００１２】
そこで、本発明は、上述の課題に鑑みてなされたものであり、異なる無線基地局ｅＮＢ配下のセル間におけるハンドオーバ手順において、ＭＡＣレイヤにおける事情を考慮して、「ＲＲＣ  ｄｉｖｅｒｓｉｔｙ」を実現することを可能とするハンドオーバ方法、無線基地局及び移動局を提供することを目的とする。
【課題を解決するための手段】
【００１３】
本発明の第１の特徴は、第１無線基地局配下の第１セルに接続している移動局が第２無線基地局配下の第２セルにハンドオーバするハンドオーバ方法であって、前記第１無線基地局が、前記第２無線基地局に対して、ＨＡＲＱプロセスを通知する工程Ａと、前記第１無線基地局が、前記第２無線基地局に対して通知した前記ＨＡＲＱプロセスと異なるＨＡＲＱプロセスを用いて、前記移動局に対して、ハンドオーバ指示信号を送信する工程Ｂと、前記第２無線基地局が、前記第１無線基地局によって通知された前記ＨＡＲＱプロセスを用いて、前記移動局に対して、前記ハンドオーバ指示信号を送信する工程Ｃとを有することを要旨とする。
【００１４】
本発明の第２の特徴は、第１無線基地局配下の第１セルに接続している移動局が第２無線基地局配下の第２セルにハンドオーバする際に該第１無線基地局として動作することができる無線基地局であって、前記第２無線基地局に対して、ＨＡＲＱプロセスを通知するように構成されている送信部を具備しており、前記送信部は、前記第２無線基地局に対して通知した前記ＨＡＲＱプロセスと異なるＨＡＲＱプロセスを用いて、前記移動局に対して、ハンドオーバ指示信号を送信するように構成されていることを要旨とする。
【００１５】
本発明の第３の特徴は、第１無線基地局配下の第１セルに接続している移動局が第２無線基地局配下の第２セルにハンドオーバするハンドオーバ方法であって、前記第１無線基地局が、前記移動局との間で使用可能な所定数のＨＡＲＱプロセスのうちのいずれかを用いて、前記移動局に対して、ハンドオーバ指示信号を送信する工程と、前記第２無線基地局が、前記所定数のＨＡＲＱプロセスとは異なる特別のＨＡＲＱプロセスを用いて、前記移動局に対して、ハンドオーバ指示信号を送信する工程とを有することを要旨とする。
【００１６】
本発明の第４の特徴は、第１無線基地局配下の第１セルに接続している移動局が第２無線基地局配下の第２セルにハンドオーバする際に該第２無線基地局として動作することができる無線基地局であって、前記第１無線基地局と前記移動局との間で使用可能な所定数のＨＡＲＱプロセスとは異なる特別のＨＡＲＱプロセスを用いて、前記移動局に対して、ハンドオーバ指示信号を送信するように構成されている送信部を具備することを要旨とする。
【００１７】
本発明の第５の特徴は、移動局であって、第１無線基地局配下の第１セルから第２無線基地局配下の第２セルにハンドオーバする際に、該第１無線基地局から、該第１無線基地局との間で使用可能な所定数のＨＡＲＱプロセスのうちのいずれかを用いて、ハンドオーバ指示信号を受信し、該第２無線基地局から、該所定数のＨＡＲＱプロセスとは異なる特別のＨＡＲＱプロセスを用いて、該ハンドオーバ指示信号を受信するように構成されており、前記特別のＨＡＲＱプロセスに対応するバッファは、ＭＡＣレイヤが初期化される場合、該第１無線基地局ｅＮＢに対して測定報告を送信した場合、該第１無線基地局から該測定報告に対するＭＡＣ-ＡＣＫ/ＲＬＣ-ＡＣＫを受信した場合、或いは、上位レイヤから「ＲＲＣ  ｄｉｖｅｒｓｉｔｙ」機能がアクティブ化された場合に初期化されるように構成されていることを要旨とする。
【発明の効果】
【００１８】
以上説明したように、本発明によれば、異なる無線基地局ｅＮＢ配下のセル間におけるハンドオーバ手順において、ＭＡＣレイヤにおける事情を考慮して、「ＲＲＣ  ｄｉｖｅｒｓｉｔｙ」を実現することを可能とするハンドオーバ方法、無線基地局及び移動局を提供することができる。
【図面の簡単な説明】
【００１９】
【図１】本発明の第１の実施形態に係る移動通信システムの全体構成を説明するための図である。
【図２】本発明の第１の実施形態に係る無線基地局ｅＮＢ＃１/ｅＮＢ＃１０の機能ブロック図である。
【図３】本発明の第１の実施形態に係る移動通信システムの動作を説明するための図である。
【図４】本発明の変更例１に係る移動通信システムの動作を説明するための図である。
【図５】従来技術を説明するための図である。
【図６】従来技術を説明するための図である。
【図７】従来技術を説明するための図である。
【発明を実施するための形態】
【００２０】
（本発明の第１の実施形態に係る移動通信システム）
図１乃至図３を参照して、本発明の第１の実施形態に係る移動通信システムについて説明する。
【００２１】
図１に示すように、本実施形態に係る移動通信システムは、セル＃１を管理する無線基地局ｅＮＢ＃１と、セル＃１０を管理する無線基地局ｅＮＢ＃１０とを具備している。
【００２２】
セル＃１のカバーエリア及びセル＃１０のカバーエリアは、少なくとも一部で地理的に重複するように構成されている。ここで、セル＃１及びセル＃１０は、同一周波数のセルである。
【００２３】
例えば、セル＃１は、マクロセル（Ｍａｃｒｏ  ｃｅｌｌ）であり、セル＃１０は、ファントムセル（Ｐｈａｎｔｏｍ  ｃｅｌｌ）等のスモールセル（Ｓｍａｌｌ  ｃｅｌｌ）であってもよい。
【００２４】
また、本実施形態に係る移動通信システムでは、下りリンクにおけるＣｏＭＰは、無線基地局ｅＮＢ＃１配下のセル＃１と無線基地局ｅＮＢ＃１０配下のセル＃１０との間においても実現され得るように構成されている。
【００２５】
なお、本実施形態では、セル＃１に接続している移動局ＵＥがセル＃１０にハンドオーバすることを想定して説明を行うこととする。
【００２６】
図２に示すように、本実施形態に係る無線基地局ｅＮＢ、具体的には、本実施形態に係る無線基地局ｅＮＢ＃１/ｅＮＢ＃１０は、送信部１１と、受信部１２とを具備している。
【００２７】
無線基地局ｅＮＢ＃１における送信部１１は、移動局ＵＥ及び無線基地局ｅＮＢ＃１０に対して各種信号を送信するように構成されており、無線基地局ｅＮＢ＃１における受信部１２は、移動局ＵＥ及び無線基地局ｅＮＢ＃１０から各種信号を受信するように構成されている。
【００２８】
一方、無線基地局ｅＮＢ＃１０における送信部１１は、移動局ＵＥ及び無線基地局ｅＮＢ＃１に対して各種信号を送信するように構成されており、無線基地局ｅＮＢ＃１０における受信部１２は、移動局ＵＥ及び無線基地局ｅＮＢ＃１から各種信号を受信するように構成されている。
【００２９】
例えば、図３に示すように、無線基地局ｅＮＢ＃１の送信部１１は、無線基地局ｅＮＢ＃１０に対して、ＨＡＲＱプロセス（例えば、ＨＡＲＱプロセス＃５）を通知するように構成されている。
【００３０】
ここで、無線基地局ｅＮＢ＃１の送信部１１は、「ＨＯ  ｒｅｑｕｅｓｔ」等を用いて、上述のＨＡＲＱプロセス（例えば、ＨＡＲＱプロセス＃５）を通知するように構成されていてもよい。
【００３１】
また、図３に示すように、無線基地局ｅＮＢ＃１の送信部１１は、ＭＡＣレイヤにおいて、無線基地局ｅＮＢ＃１０に対して通知したＨＡＲＱプロセス（例えば、ＨＡＲＱプロセス＃５）と異なるＨＡＲＱプロセス（例えば、ＨＡＲＱプロセス＃３）を用いて、移動局ＵＥに対して、「ＨＯ  ｃｏｍｍａｎｄ」を送信するように構成されている。
【００３２】
一方、図３に示すように、無線基地局ｅＮＢ＃１０の受信部１２は、無線基地局ｅＮＢ＃１から、上述のＨＡＲＱプロセス（例えば、ＨＡＲＱプロセス＃５）を通知する情報を取得するように構成されている。
【００３３】
また、図３に示すように、無線基地局ｅＮＢ＃１０の送信部１２は、無線基地局ｅＮＢ＃１０によって通知されたＨＡＲＱプロセス（例えば、ＨＡＲＱプロセス＃５）を用いて、移動局ＵＥに対して、「ＨＯ  ｃｏｍｍａｎｄ」を送信するように構成されている。
【００３４】
なお、無線基地局ｅＮＢ＃１は、無線基地局ｅＮＢ＃１０に対して「ＨＯ  ｒｅｑｕｅｓｔ」を送信したにも関わらず、所定期間が経過しても、無線基地局ｅＮＢ＃１０から「ＨＯ  ｃｏｍｍａｎｄ」を含む「ＨＯ  ＡＣＫ」が受信されない場合や、無線基地局ｅＮＢ＃１０から「ＨＯ  ＮＡＣＫ」等によりハンドオーバを行うことができない旨が通知された場合には、確保しておいたＨＡＲＱプロセスを解放してもよい。
【００３５】
本実施形態に係る移動通信システムによれば、無線基地局ｅＮＢ＃１０が「ＨＯ  ｃｏｍｍａｎｄ」を送信するために用いられるＨＡＲＱプロセスとは異なるＨＡＲＱプロセスを、無線基地局ｅＮＢ＃１０が「ＨＯ  ｃｏｍｍａｎｄ」を送信するための専用のＨＡＲＱプロセスとして確保することができる。
【００３６】
（変更例１）
以下、図４を参照して、本発明の変更例１に係る移動通信システムについて、上述の第１の実施形態に係る移動通信システムとの相違点に着目して説明する。
【００３７】
本変更例１に係る移動通信システムでは、図４に示すように、無線基地局ｅＮＢ＃１と移動局ＵＥとの間で、所定数（例えば、８個）のＨＡＲＱプロセス（例えば、ＨＡＲＱプロセス＃０〜＃７）が用いられているものとする。
【００３８】
すなわち、本変更例１に係る移動通信システムでは、無線基地局ｅＮＢ＃１の送信部１１は、上述のハンドオーバ手順において、移動局ＵＥとの間で使用可能な所定数（例えば、８個）のＨＡＲＱプロセス（例えば、ＨＡＲＱプロセス＃０〜＃７）のうちのいずれかを用いて、移動局ＵＥに対して、「ＨＯ  ｃｏｍｍａｎｄ」を送信するように構成されている。
【００３９】
また、本変更例１に係る移動通信システムでは、上述の所定数（例えば、８個）のＨＡＲＱプロセス（例えば、ＨＡＲＱプロセス＃０〜＃７）とは別に、「ＲＲＣ  ｄｉｖｅｒｓｉｔｙ」用の特別のＨＡＲＱプロセス（例えば、ＨＡＲＱプロセス＃Ｄ）が規定されている。
【００４０】
ここで、「ＲＲＣ  ｄｉｖｅｒｓｉｔｙ」が行われる場合には、無線基地局ｅＮＢ＃１０の送信部１１は、上述のハンドオーバ手順において、かかる特別のＨＡＲＱプロセス（例えば、ＨＡＲＱプロセス＃Ｄ）を用いて、移動局ＵＥに対して、「ＨＯ  ｃｏｍｍａｎｄ」を送信するように構成されている。
【００４１】
なお、移動局ＵＥにおいて、かかる特別のＨＡＲＱプロセス（例えば、ＨＡＲＱプロセス＃Ｄ）に対応するバッファは、ＭＡＣレイヤの初期化時（ＭＡＣリセット時）に初期化（ｆｌｕｓｈ）されてもよいし、無線基地局ｅＮＢに対して「ｍｅａｓｕｒｅｍｅｎｔ  ｒｅｐｏｒｔ」を送信した場合（或いは、かかる「ｍｅａｓｕｒｅｍｅｎｔ  ｒｅｐｏｒｔ」に対するＭＡＣ-ＡＣＫ/ＲＬＣ-ＡＣＫを受信した場合）に初期化されてもよいし、上位レイヤから「ＲＲＣ  ｄｉｖｅｒｓｉｔｙ」機能がアクティブ化された際に初期化されてもよい。
【００４２】
ここで、かかるＨＡＲＱプロセス＃Ｄ（或いは、Ｄ-ｐｒｏｃｅｓｓ）、及び、かかるＨＡＲＱプロセス＃Ｄを用いる際に使用されるソフトバッファをいくつ用意することができるかについては、移動局ＵＥの能力や「ＵＥ  ｃａｔｅｇｏｒｙ」によるため、移動局ＵＥは、無線基地局ｅＮＢ＃１（又は、無線基地局ｅＮＢ＃１０）に対して、用意することができるＨＡＲＱプロセス＃Ｄ（又は、用意することができるソフトバッファ）の数を示す能力情報を通知するように構成されていてもよい。
【００４３】
また、無線基地局ｅＮＢ＃１（又は、無線基地局ｅＮＢ＃１０）は、かかる能力情報に基づいて、かかる移動局ＵＥに対して、ＨＡＲＱプロセス＃Ｄをいくつ設定するべきかについて決定するように構成されていてもよい。
【００４４】
以上に述べた本実施形態の特徴は、以下のように表現されていてもよい。
【００４５】
本実施形態の第１の特徴は、無線基地局ｅＮＢ＃１（第１無線基地局）配下のセル＃１（第１セル）に接続している移動局ＵＥが無線基地局ｅＮＢ＃１０（第２無線基地局）配下のセル＃１０（第２セル）にハンドオーバするハンドオーバ方法であって、無線基地局ｅＮＢ＃１が、無線基地局ｅＮＢ＃１０に対して、ＨＡＲＱプロセス（例えば、ＨＡＲＱプロセス＃５）を通知する工程Ａと、無線基地局ｅＮＢ＃１が、無線基地局ｅＮＢ＃１０に対して通知したＨＡＲＱプロセス（例えば、ＨＡＲＱプロセス＃５）と異なるＨＡＲＱプロセス（例えば、ＨＡＲＱプロセス＃３）を用いて、移動局ＵＥに対して、「ＨＯ  ｃｏｍｍａｎｄ（ハンドオーバ指示信号）」を送信する工程Ｂと、無線基地局ｅＮＢ＃１０が、無線基地局ｅＮＢ＃１０によって通知されたＨＡＲＱプロセス（例えば、ＨＡＲＱプロセス＃５）を用いて、移動局ＵＥに対して、「ＨＯ  ｃｏｍｍａｎｄ」を送信する工程Ｃとを有することを要旨とする。
【００４６】
かかる特徴によれば、無線基地局ｅＮＢ＃１が「ＨＯ  ｃｏｍｍａｎｄ」を送信するために用いるＨＡＲＱプロセス及び無線基地局ｅＮＢ＃１０が「ＨＯ  ｃｏｍｍａｎｄ」を送信するために用いるＨＡＲＱプロセスが衝突するという事態を回避することができ、異なる無線基地局ｅＮＢｅＮＢ＃１/ｅＮＢ＃１０配下のセル＃１/＃１０間におけるハンドオーバ手順において、ＭＡＣレイヤにおける事情を考慮して、「ＲＲＣ  ｄｉｖｅｒｓｉｔｙ」を実現することができる。
【００４７】
本実施形態の第１の特徴において、工程Ａにおいて、無線基地局ｅＮＢ＃１は、「ＨＯ  ｒｅｑｕｅｓｔ（ハンドオーバ要求信号）」を用いて、上述のＨＡＲＱプロセス（例えば、ＨＡＲＱプロセス＃５）を通知してもよい。
【００４８】
かかる特徴によれば、既存の「ＨＯ  ｒｅｑｕｅｓｔ」を流用して、無線基地局ｅＮＢ＃１から無線基地局ｅＮＢ＃１０に対して、上述のＨＡＲＱプロセスを通知することができる。
【００４９】
本実施形態の第２の特徴は、無線基地局ｅＮＢ＃１配下のセル＃１に接続している移動局ＵＥが無線基地局ｅＮＢ＃１０配下のセル＃１０にハンドオーバする際に無線基地局ｅＮＢ＃１として動作することができる無線基地局ｅＮＢであって、無線基地局ｅＮＢ＃１０に対して、ＨＡＲＱプロセスを通知するように構成されている送信部１１を具備しており、送信部１１は、無線基地局ｅＮＢ＃１０に対して通知したＨＡＲＱプロセスと異なるＨＡＲＱプロセスを用いて、移動局ＵＥに対して、「ＨＯ  ｃｏｍｍａｎｄ」を送信するように構成されていることを要旨とする。
【００５０】
かかる特徴によれば、無線基地局ｅＮＢ＃１が「ＨＯ  ｃｏｍｍａｎｄ」を送信するために用いるＨＡＲＱプロセス及び無線基地局ｅＮＢ＃１０が「ＨＯ  ｃｏｍｍａｎｄ」を送信するために用いるＨＡＲＱプロセスが衝突するという事態を回避することができ、異なる無線基地局ｅＮＢｅＮＢ＃１/ｅＮＢ＃１０配下のセル＃１/＃１０間におけるハンドオーバ手順において、ＭＡＣレイヤにおける事情を考慮して、「ＲＲＣ  ｄｉｖｅｒｓｉｔｙ」を実現することができる。
【００５１】
本実施形態の第２の特徴において、送信部１１は、「ＨＯ  ｒｅｑｕｅｓｔ」を用いて、上述のＨＡＲＱプロセスを通知するように構成されていてもよい。
【００５２】
かかる特徴によれば、既存の「ＨＯ  ｒｅｑｕｅｓｔ」を流用して、無線基地局ｅＮＢ＃１から無線基地局ｅＮＢ＃１０に対して、上述のＨＡＲＱプロセスを通知することができる。
【００５３】
本実施形態の第３の特徴は、無線基地局ｅＮＢ＃１配下のセル＃１に接続している移動局ＵＥが無線基地局ｅＮＢ＃１０配下のセル＃１０にハンドオーバするハンドオーバ方法であって、無線基地局ｅＮＢ＃１が、移動局ＵＥとの間で使用可能な所定数（例えば、８個）のＨＡＲＱプロセス（例えば、ＨＡＲＱプロセス＃０〜＃７）のうちのいずれかを用いて、移動局ＵＥに対して、「ＨＯ  ｃｏｍｍａｎｄ」を送信する工程と、無線基地局ｅＮＢ＃１０が、かかる所定数（例えば、８個）のＨＡＲＱプロセス（例えば、ＨＡＲＱプロセス＃０〜＃７）とは異なる特別のＨＡＲＱプロセス（例えば、ＨＡＲＱプロセス＃Ｄ）を用いて、移動局ＵＥに対して、「ＨＯ  ｃｏｍｍａｎｄ」を送信する工程とを有することを要旨とする。
【００５４】
かかる特徴によれば、無線基地局ｅＮＢ＃１が「ＨＯ  ｃｏｍｍａｎｄ」を送信するために用いるＨＡＲＱプロセス及び無線基地局ｅＮＢ＃１０が「ＨＯ  ｃｏｍｍａｎｄ」を送信するために用いるＨＡＲＱプロセスが衝突するという事態を回避することができ、異なる無線基地局ｅＮＢｅＮＢ＃１/ｅＮＢ＃１０配下のセル＃１/＃１０間におけるハンドオーバ手順において、ＭＡＣレイヤにおける事情を考慮して、「ＲＲＣ  ｄｉｖｅｒｓｉｔｙ」を実現することができる。
【００５５】
本実施形態の第４の特徴は、無線基地局ｅＮＢ＃１配下のセル＃１に接続している移動局ＵＥが無線基地局ｅＮＢ＃１０配下のセル＃１０にハンドオーバする際に無線基地局ｅＮＢ＃１０として動作することができる無線基地局ｅＮＢであって、無線基地局ｅＮＢ＃１と移動局ＵＥとの間で使用可能な所定数のＨＡＲＱプロセスとは異なる特別のＨＡＲＱプロセスを用いて、移動局ＵＥに対して、「ＨＯ  ｃｏｍｍａｎｄ」を送信するように構成されている送信部１１を具備することを要旨とする。
【００５６】
かかる特徴によれば、無線基地局ｅＮＢ＃１が「ＨＯ  ｃｏｍｍａｎｄ」を送信するために用いるＨＡＲＱプロセス及び無線基地局ｅＮＢ＃１０が「ＨＯ  ｃｏｍｍａｎｄ」を送信するために用いるＨＡＲＱプロセスが衝突するという事態を回避することができ、異なる無線基地局ｅＮＢｅＮＢ＃１/ｅＮＢ＃１０配下のセル＃１/＃１０間におけるハンドオーバ手順において、ＭＡＣレイヤにおける事情を考慮して、「ＲＲＣ  ｄｉｖｅｒｓｉｔｙ」を実現することができる。
【００５７】
本実施形態の第５の特徴は、移動局ＵＥであって、無線基地局ｅＮＢ＃１配下のセル＃１から無線基地局ｅＮＢ＃１０配下のセル＃１０にハンドオーバする際に、無線基地局ｅＮＢ＃１から、無線基地局ｅＮＢ＃１との間で使用可能な所定数（例えば、８個）のＨＡＲＱプロセスのうちのいずれかを用いて、「ＨＯ  ｃｏｍｍａｎｄ」を受信し、無線基地局ｅＮＢ＃１０から、かかる所定数のＨＡＲＱプロセスとは異なる特別のＨＡＲＱプロセス（例えば、ＨＡＲＱプロセス＃Ｄ）を用いて、かかる「ＨＯ  ｃｏｍｍａｎｄ」を受信するように構成されており、かかる特別のＨＡＲＱプロセスに対応するバッファは、ＭＡＣレイヤが初期化される場合、無線基地局ｅＮＢ＃１に対して「ｍｅａｓｕｒｅｍｅｎｔ  ｒｅｐｏｒｔ（測定報告）」を送信した場合、無線基地局ｅＮＢ＃１から「ｍｅａｓｕｒｅｍｅｎｔ  ｒｅｐｏｒｔ」に対するＭＡＣ-ＡＣＫ/ＲＬＣ-ＡＣＫを受信した場合、或いは、上位レイヤから「ＲＲＣ  ｄｉｖｅｒｓｉｔｙ」機能がアクティブ化された場合に初期化されるように構成されていることを要旨とする。
【００５８】
なお、上述の移動局ＵＥや無線基地局ｅＮＢ＃１/ｅＮＢ＃１０の動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１０内に設けられていてもよい。また、かかる記憶媒体及びプロセッサは、ディスクリートコンポーネントとして移動局ＵＥや無線基地局ｅＮＢ＃１/ｅＮＢ＃１０内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ｅＮＢ＃１/ｅＮＢ＃１０…無線基地局
ＵＥ…移動局
１１…送信部
１２…受信部
【図１】
2014220687.tif 000003
【図２】
2014220687.tif 000004
【図３】
2014220687.tif 000005
【図４】
2014220687.tif 000006
【図５】
2014220687.tif 000007
【図６】
2014220687.tif 000008
【図７】
2014220687.tif 000009